(57)【特許請求の範囲】
【請求項１】
建物躯体の開口部に取付けられるサッシ枠の外周に取付けられるシャッター枠内の上部に扉体を巻き上げて収納するシャッターにおいて、
前記サッシ枠を構成し縦枠と連結される下枠の下端近傍には建物躯体に対して固定される位置決め部品が設けられ、該位置決め部品は室外側に突出する水平面部と、該水平面部と直交する当接面部とを有し、前記シャッター枠を構成するシャッター下枠は前記位置決め部品の水平面部に載置される基準面部を有し、基準面部は前記シャッター下枠の室内面に長手方向に沿って凹状に形成される溝部の上面により構成され、前記シャッター下枠は前記溝部の縁部から伸び前記建物躯体に対して当接固定される躯体取付片を有し、該躯体取付片により前記位置決め部品の当接面部を覆うことを特徴とするシャッター。
【請求項２】
前記シャッター下枠は室内面で前記位置決め部品の室外面全体を覆うことを特徴とする請求項１記載のシャッター。
【請求項３】
前記位置決め部品は前記下枠の下端部に当接して建物躯体に対し取付けられていることを特徴とする請求項１または２記載のシャッター。
【発明の詳細な説明】
【技術分野】
【０００１】
本発明は、建物躯体の開口部に設けられるサッシ枠の外周に取付けるシャッターに関し、特に既に取付けられたサッシ枠に対して容易に位置決めできるシャッターに関する。
【背景技術】
【０００２】
建物躯体の開口部に設けられるサッシ枠の外周にシャッターを設ける場合があり、このシャッターはサッシ枠の外周を囲むように設けられるシャッター枠の上部に、複数枚のスラットを重ねてなる鎧状の扉体を巻き上げて収納するものである。扉体は、シャッター枠の上部から下方に引き出すことができ、引き出されるとサッシ枠の室外側を覆うものである。このように、サッシ枠の外周に設けられるシャッターとしては、例えば特許文献１に挙げるようなものがある。
【特許文献１】特開２０００−１３００５５号公報
【発明の開示】
【発明が解決しようとする課題】
【０００３】
シャッター枠は、建物躯体の開口部に既に取付けられたサッシ枠の外周にさらに取付けられるものであるため、サッシ枠に対して正確に位置決めする必要がある。しかし従来のシャッターにおいては、サッシ枠の上部に位置決め用の金具を設け、その金具を基準にシャッター枠を取付けるようにしていたため、シャッター枠の位置決めを不安定な足場で行う必要があって作業性が悪いものとなっていた。また、シャッター枠の取付後に金具を取り外さなければならないものもあって、この場合には金具を取り外した後にビス孔などが残るために意匠性を悪化させることとなっていた。
【０００４】
本発明は、上記課題を解決すべくなされたものであり、シャッター枠の位置決めにおける作業性を向上させることができ、また位置決め用の部品によって意匠性を損ねることのないシャッターを提供することを目的とする。
【課題を解決するための手段】
【０００５】
上記課題を解決するため、本発明に係るシャッターは、建物躯体の開口部に取付けられるサッシ枠の外周に取付けられるシャッター枠内の上部に扉体を巻き上げて収納するシャッターにおいて、
前記サッシ枠を構成し縦枠と連結される下枠の下端近傍には建物躯体に対して固定される位置決め部品が設けられ、該位置決め部品は室外側に突出する水平面部と、該水平面部と直交する当接面部とを有し、前記シャッター枠を構成するシャッター下枠は前記位置決め部品の水平面部に載置される基準面部を有し、基準面部は前記シャッター下枠の室内面に長手方向に沿って凹状に形成される溝部の上面により構成され、前記シャッター下枠は前記溝部の縁部から伸び前記建物躯体に対して当接固定される躯体取付片を有し、該躯体取付片により前記位置決め部品の当接面部を覆うことを特徴として構成されている。
【０００７】
さらに、本発明に係るシャッターは、前記シャッター下枠は室内面で前記位置決め部品の室外面全体を覆うことを特徴として構成されている。
【０００８】
さらにまた、本発明に係るシャッターは、前記位置決め部品は前記下枠の下端部に当接して建物躯体に対し取付けられていることを特徴として構成されている。
【発明の効果】
【０００９】
本発明に係るシャッターによれば、サッシ枠を構成する下枠の下端近傍には建物躯体に対して固定される位置決め部品が設けられ、位置決め部品は室外側に突出する水平面部を有し、シャッター枠を構成するシャッター下枠は位置決め部品の水平面部に載置される基準面部を有することにより、サッシの下部でシャッター枠体の位置決めを行うことができるので、作業性がよく、シャッターの取付けを容易にすることができる。
【００１０】
また、本発明に係るシャッターによれば、基準面部はシャッター下枠の室内面に長手方向に沿って凹状に形成される溝部の上面により構成されることにより、シャッター下枠を位置決め部品に対して容易に位置出しすることができ、作業性をより向上させることができる。
【００１１】
さらに、本発明に係るシャッターによれば、シャッター下枠は室内面で位置決め部品の室外面全体を覆うことにより、シャッター枠体を取付ければ位置決め部品は室外側に露出することがなく、位置決め部品によってシャッターの意匠性を悪化させることがないようにすることができる。
【００１２】
さらにまた、本発明に係るシャッターによれば、位置決め部品は下枠の下端部に当接して建物躯体に対し取付けられていることにより、位置決め部品の位置決めを容易にすることができる。
【発明を実施するための最良の形態】
【００１３】
本発明の実施形態について図面に沿って詳細に説明する。図１には本実施形態におけるシャッターを含むサッシ全体の縦断面図を、図２にはその横断面図を、それぞれ示している。これら各図に示すように、本実施形態におけるシャッターは、建物躯体の開口部に取付けられるサッシ枠体１の外周を囲むようにシャッター枠体２が設けられ、シャッター枠体２の上部には扉体３を巻き上げ収納してなるものである。
【００１４】
建物躯体の開口部に取付けられるサッシ枠体１は、サッシ上枠１０とサッシ下枠１１及び左右のサッシ縦枠１２、１２を方形状に枠組みしてなるものであり、その内部には内外の障子５、５が引き違い状に納められている。また、障子５の室外側には網戸６が納められている。サッシ枠体１は、外周面の室内外中間位置に四周に渡ってフィン部１５が形成されており、このフィン部１５が建物躯体の室外面に当接し、ビス止めされることによって、建物躯体に対して固定される。
【００１５】
シャッター枠体２は、それぞれサッシ枠体１を構成する各枠材の外周側に配置されるシャッター上枠２０とシャッター下枠２１、左右のシャッター縦枠２２とを備えている。シャッター縦枠２２はシャッター上枠２０より上方まで延びており、その上端部には屋根枠２３が設けられる。これによってシャッター枠体２の上部には、シャッター上枠２０と屋根枠２３との間に収容部２６が形成され、ここに扉体３が収納される。
【００１６】
収容部２６の室外面側には、カバー部２４が設けられて、収容部２６内を室外側から見えないようにカバーしている。また、収容部２６の室内面側には背面板２５が設けられており、これが建物躯体の室外面に当接する。
【００１７】
扉体３は、複数枚のスラット３０を重ねて鎧状としたものであり、シャッター枠体２の収容部２６内に設けられる巻き芯部２７に巻回され納められる。またその下端部には下端把手部３１が設けられ、この下端把手部３１を手で下方に引くことにより、収容部２６内の扉体３が引き出される。そして下端把手部３１をシャッター下枠２１の上面室外端部に当接する位置まで引くと、扉体３でサッシ枠体１の室外側を覆った状態とすることができる。
【００１８】
次に、シャッター枠体２の位置決めについて説明する。シャッター枠体２の位置決めは、左右方向にはシャッター枠体２のサッシ枠体１との間隔を左右均等になるように調整して行う。一方、上下方向にはサッシ下枠１１の近傍に設けられる位置決め部品４０にシャッター下枠２１を位置合わせすることによって行う。
【００１９】
図３には、図１の縦断面図におけるシャッター下枠２１付近の拡大図を示している。この図に示すように、サッシ下枠１１の下端部を構成するフィン部１５の下方には、ピース状の金具からなる位置決め部品４０が建物躯体に対してビス止め固定されている。位置決め部品４０の上端部は、サッシ下枠１１のフィン部１５の下端部と当接するように配置されている。またこの位置決め部品４０は、サッシ下枠１１の長手方向両端部近傍にそれぞれ設けられる。
【００２０】
図４には、位置決め部品４０の正面図を示している。位置決め部品４０は、薄板状の金属材を折り曲げ加工してなるものであり、上下方向中央部に平面状の水平面部４２を有している。さらに水平面部４２から下方に折り曲げられた固定部４１と、上方に折り曲げられた当接部４３とを有している。固定部４１には貫通孔４１ａが形成されており、ここにビスが挿通され建物躯体に対して固定がなされる。当接部４３は、建物躯体に対して当接し、位置決め部品４０のがたつきやずれを防止する。
【００２１】
図５には位置決め部品４０の側面図を示しており、この図に示すように固定部４１及び当接部４３は、水平面部４２に対して直角となるように折り曲げられると共に、建物躯体に対する当接面が面一状となるように形成されている。
【００２２】
図６には、シャッター下枠２１の建物躯体に対する取付図を示している。位置決め部品４０は、前述のように面一状の固定部４１と当接部４３が建物躯体に対して当接し、固定部４１がビス止めにより建物躯体に対して固定されている。また、位置決め部品４０の上端をサッシ下枠１１の下端部であるフィン部１５の下端に当接させることで、位置決め部品４０を上下方向に正確に位置決めしておくことができる。この状態で水平面部４２は、建物躯体に対して直角に突出する方向に向かって延びている。
【００２３】
一方、シャッター下枠２１の室内面には、長手方向に沿って凹状に溝部２１ａが形成される。溝部２１ａの上面には、シャッター縦枠２２との連結のためのビス孔を構成するビス孔部２１ｃが形成されると共に、溝部２１ａの開口端には突起状の突片２１ｄが形成されている。これらビス孔部２１ｃ及び突片２１ｄの下端面は面一状となるように形成されており、これらによって基準面部２１ｂを構成している。基準面部２１ｂは、建物躯体に対して固定された位置決め部品４０の水平面部４２の上面に当接するように位置決めされる。
【００２４】
基準面部２１ｂが位置決め部品４０の水平面部４２に当接し位置決めされると、シャッター枠体２全体の上下方向位置が正確に位置決めされる。この状態で図３に示すようにシャッター下枠２１は建物躯体に対してビス止め固定され、さらに外壁７がシーリング材８を介して設けられる。また、位置決め部品４０の室外面は、シャッター下枠２１の室内面によって全て覆われるため、シャッター枠体２を取付けてしまうと位置決め部品４０は室外側に露出しない。このため、位置決め部品４０を設けても意匠性を悪化させることがないようにすることができる。
【００２５】
次に、本発明の第２の実施形態について説明する。第１の実施形態では建物躯体の開口部に設けられたサッシ枠体１の外周に、シャッター枠体２を位置決め部品４０によって位置決めしつつ取付け、さらにその外周に外壁７を設けるようにしたが、第２の実施形態は、サッシ枠体１の外周に既に外壁７が設けられている状態から後付でシャッター枠体２を取付ける場合について説明する。
【００２６】
図７には、本実施形態におけるシャッターのシャッター下枠２１付近の拡大図を示している。この図は第１の実施形態における図３に対応するものである。本実施形態ではサッシ枠体１及びシャッター枠体２自体の構成については、第１の実施形態と同様のものを用いている。
【００２７】
図７に示すように、サッシ枠体１の外周に外壁７が設けられている状態では、位置決め部品４０を建物躯体に対して直接取付けることはできないので、これを外壁７の所定位置に当接させてビス止め固定し、これを基準にシャッター枠体２を上下方向に位置決めする。
【００２８】
位置決め部品４０の取付位置は、サッシ下枠１１の下端部から所定間隔だけ下方に、位置決め部品４０の上端面が配置されるように設定する。これによって位置決め部品４０の水平面部４２の上下方向位置が定まり、ここにシャッター下枠２１の基準面部２１ｂを当接させることによって、シャッター枠体２の上下方向位置を定めることができる。
【００２９】
シャッター枠体２を位置決めしたら、シャッター下枠２１は外壁７を介して建物躯体に対してビス止め固定される。ここで、シャッター下枠２１の下端部におけるビス止め部分にはカバー材４５が設けられる。カバー材４５は、図示しないがシャッター下枠２１だけでなくシャッター上枠２０及びシャッター縦枠２２にも設けられる。
【００３０】
カバー材４５は、シャッター下枠２１の下端部に当接し、それと共に外壁７を介して建物躯体に対してビス止めされる断面略コ字状の下地材４５ａと、下地材４５ａに対して係合してビスの取付部分を被覆する化粧カバー４５ｂとからなっている。カバー材４５を四周に渡って設けることで、外壁７に対して直接取付けられるビス止め部分が室外側に露出しないようにすることができる。
【００３１】
以上、本発明の実施形態について説明したが、本発明の適用はこれら実施形態には限られず、その技術的思想の範囲内において様々に適用されうるものである。
【図面の簡単な説明】
【００３２】
【図１】第１の実施形態におけるシャッターを含むサッシ全体の縦断面図である。
【図２】第１の実施形態におけるシャッターを含むサッシ全体の横断面図である。
【図３】図１の縦断面図におけるシャッター下枠付近の拡大図である。
【図４】位置決め部品の正面図である。
【図５】位置決め部品の側面図である。
【図６】シャッター下枠の建物躯体に対する取付図である。
【図７】第２の実施形態におけるシャッターのシャッター下枠付近の拡大図である。
【符号の説明】
【００３３】
１    サッシ枠体
２    シャッター枠体
３    扉体
７    外壁
８    シーリング材
１０    サッシ上枠
１１    サッシ下枠
１２    サッシ縦枠
２０    シャッター上枠
２１    シャッター下枠
２１ａ  溝部
２１ｂ  基準面部
２２    シャッター縦枠
２３    屋根枠
２６    収容部
４０    位置決め部品
４１    固定部
４１ａ  貫通孔
４２    水平面部
４３    当接部
【図１】
0004669818.tif 000002
【図２】
0004669818.tif 000003
【図３】
0004669818.tif 000004
【図４】
0004669818.tif 000005
【図５】
0004669818.tif 000006
【図６】
0004669818.tif 000007
【図７】
0004669818.tif 000008